(57)【要約】  照明システムは、発光制御コマンドを送信するマスタ装置と、複数の照明モジュールとを備える。複数の照明モジュール各々は、面光源を有し、発光制御コマンドを受信し、受信した発光制御コマンドに含まれる自身用の制御データに応じて面光源を駆動制御する。また、照明システムは、複数の照明モジュール各々の面光源の発光面上、若しくはその近傍に設けられ、外部入力を検出する外部入力検出センサと、外部入力検出センサによって外部入力が検出されたときアドレス要求コマンドをマスタ装置に送信する送信手段と、マスタ装置に設けられ、アドレス要求コマンドに応答してアドレスを設定するアドレス設定手段と、アドレス設定手段で設定されたアドレスを含むアドレス付与コマンドをアドレス要求コマンドを送信した照明モジュールに対して返信する返信手段と、を含み、複数の照明モジュール各々はアドレス付与コマンドを受信してアドレス付与コマンドに含まれるアドレスを取得する手段と、当該アドレスに対応して発光制御コマンド内から自身用の制御データを取り出す手段とを有する。
2014016904.tif 000002
【特許請求の範囲】
【請求項１】
面光源を有し、マスタ装置から送信される発光制御コマンドを受信し、受信した前記発光制御コマンドに含まれる自身用の制御データに応じて前記面光源を駆動制御する照明モジュールであって、
前記面光源の発光面上、若しくはその近傍に設けられ、外部入力を検出する外部入力検出センサと、
前記外部入力検出センサによって前記外部入力が検出されたときアドレス要求コマンドを前記マスタ装置に送信する送信手段と、
前記アドレス要求コマンドに対して前記マスタ装置から送信されるアドレス付与コマンドを受信して前記アドレス付与コマンドに含まれるアドレスを取得する取得手段と、
前記取得手段によって取得されたアドレスに対応して前記発光制御コマンド内から前記自身用の制御データを取り出す手段と、を備えることを特徴とする照明モジュール。
【請求項２】
前記外部入力検出センサは前記発光面に設けられたタッチセンサ若しくは光センサであることを特徴とする請求項１記載の照明モジュール。
【請求項３】
前記発光制御コマンドはスロット列を有するシリアル通信コマンドであり、
前記アドレスは前記スロット列中の１つのスロットを指定するアドレスであることを特徴とする請求項２記載の照明モジュール。
【請求項４】
前記マスタ装置から送信されるアドレスモード開始コマンドの受信に応じて動作モードをアドレスモードにして前記外部入力検出センサ及び前記送信手段を活性化することを特徴とする請求項３記載の照明モジュール。
【請求項５】
前記アドレスを取得すると前記アドレスモードを終了することを特徴とする請求項４記載の照明モジュール。
【請求項６】
前記送信手段は、前記外部入力検出センサによって前記外部入力が検出されたときアドレス要求及び終了コマンドを前記マスタ装置に送信し、
前記アドレスモードにあるとき前記マスタ装置からのアドレスモード終了コマンドの受信に応じて前記アドレスモードを終了することを特徴とする請求項記５載の照明モジュール。
【請求項７】
発光制御コマンドを送信するマスタ装置と、
各々が面光源を有し、前記発光制御コマンドを受信し、受信した前記発光制御コマンドに含まれる自身用の制御データに応じて前記面光源を各々が駆動制御する複数の照明モジュールと、を備える照明システムであって、
前記複数の照明モジュール各々の前記面光源の発光面上、若しくはその近傍に設けられ、外部入力を検出する外部入力検出センサと、
前記外部入力検出センサによって前記外部入力が検出されたときアドレス要求コマンドを前記マスタ装置に送信する送信手段と、
前記マスタ装置に設けられ、前記アドレス要求コマンドに応答してアドレスを設定するアドレス設定手段と、
前記アドレス設定手段で設定されたアドレスを含むアドレス付与コマンドを前記アドレス要求コマンドを送信した照明モジュールに対して返信する返信手段と、を含み、
前記複数の照明モジュールの各々は、前記アドレス付与コマンドを受信して前記アドレス付与コマンドに含まれるアドレスを取得する取得手段と、
前記取得手段によって取得されたアドレスに対応して前記発光制御コマンド内から前記自身用の制御データを取り出す手段と、を有することを特徴とする照明システム。
【発明の詳細な説明】
【技術分野】
【０００１】
本発明は、面光源を有する照明モジュールと、複数の照明モジュールを制御するマスタ装置を備える照明システムに関する。
【背景技術】
【０００２】
発光源として有機ＥＬ素子を有する有機ＥＬパネルを用いた発光装置が提案されている。有機ＥＬパネルを用いた発光装置には、面発光で形状に制約がないという特徴があり、そのような特徴はＬＥＤ（発光ダイオード）発光装置等の他の発光装置では得られないので、今後の実用化に向けた更なる開発が期待されている。【０００３】
一般に、発光装置の発光源としての有機ＥＬパネルは、透明基板上に形成されたＩＴＯ等の透明導電膜からなる陽極と、Ａｌ等の金属からなる陰極と、陽極と陰極との間に挟まれた有機多層構造の有機発光機能層とを有している（特許文献１）。有機発光機能層は有機材料からなり、陽極側から順に例えば、ホール注入・輸送層、発光層、電子輸送層、及び電子注入層の積層からなり、例えば、真空蒸着法又はインクジェット法を用いて積層形成することができる。このような有機ＥＬパネルは、パネル全体で高輝度が得られるようにストライプ状に有機発光機能層を形成している。【０００４】
また、このような有機ＥＬパネルの複数を平面的に並べる（タイリングという）ことにより、光る天井や、光る壁等の新規の照明形態が可能となり、日常生活に新しい価値を提供することが期待されている。【０００５】
タイリングによる照明形態の１つとして、全ての有機ＥＬパネルを同一に点灯及び消灯する形態がある。この場合には全ての有機ＥＬパネルの電源をオン/オフすることにより簡単に実現することができる。【０００６】
他の照明形態としては、複数の有機ＥＬパネル各々を個別に制御して天井全体や壁全体で演出照明を行う形態が考えられる。例えば、有機ＥＬパネル毎に輝度や色を制御して２次元的な有意な情報やパターンを表現することができる。【０００７】
このような演出照明を行う有機ＥＬパネルの制御に適した照明制御技術としてはＤＭＸ５１２−Ａ規格がある。【０００８】
ＤＭＸ５１２−Ａの規格を用いる照明システムでは、照明制御を司る１つのマスタ装置と、照明制御を受ける複数の照明モジュール（スレーブ装置）とからなる構成が前提となっている。上記したように複数の有機ＥＬパネルをタイリングした照明システムにＤＭＸ５１２−Ａの規格を適用すると、マスタ装置は複数の照明モジュール各々に対して通信線を介して制御データを含むコマンドを送信し、有機ＥＬパネルを含む複数の照明モジュール各々ではコマンドを受信してコマンド中の制御データに従って有機ＥＬパネルを駆動することが行われる。
【先行技術文献】
【特許文献】
【０００９】
【特許文献１】特許第４５６７０９２号公報
【発明の概要】
【発明が解決しようとする課題】
【００１０】
しかしながら、ＤＭＸ５１２−Ａの規格を用いる照明システムでは、照明モジュール各々に異なるアドレスを割り当てて複数の照明モジュールを区別して認識する必要がある。従来の照明システムでは、複数の照明モジュール各々に対してアドレスをディップスイッチやロータリースイッチを用いて設定する方法が一般的である。このアドレス設定は手作業で行う必要があり、照明モジュールの台数が多くなれば大変な作業であることは容易に想像することができる。また、アドレス値を人手で設定する作業ではアドレスの重複等の間違いが生じ易いのでその間違いの有無を確認することもむろん大変な作業となる。【００１１】
更に、手作業のアドレス設定が面倒だという以外に、別の課題もある。上記したように有機ＥＬパネルのような面発光パネルの重要な用途にタイリングがある。ユーザから見えるタイリング表面は有機ＥＬパネルの発光面のみであって、照明モジュール内の上記したスイッチ、パネルの駆動制御部及び配線等の部分はパネル背面側、例えば、天井内に隠して施工されるべきである。よって、アドレス設定作業は照明モジュールの取付面に設置前に完了しなければならないし、また、照明モジュールの設置後のアドレス設定や変更は困難であるという欠点があった。【００１２】
更に言えば、単に個別のアドレスが設定されれば良いという訳でなく、各照明モジュールのタイリング上の位置とアドレスとの対応関係がマスタ装置或いはユーザに完全に認識されなければ、意図した照明演出を正しく実現できないことは言うまでもない。【００１３】
そこで、本発明が解決しようとする課題は、上記の欠点が一例として挙げられ、簡単な手作業だけで各照明モジュールの位置とアドレスとの対応関係が明確になるように各照明モジュールへのアドレス割り当てを行うことができる照明モジュール及び照明システムを提供することが本発明の目的である。
【課題を解決するための手段】
【００１４】
請求項１に係る発明の照明モジュールは、面光源を有し、マスタ装置から送信される発光制御コマンドを受信し、受信した前記発光制御コマンドに含まれる自身用の制御データに応じて前記面光源を駆動制御する照明モジュールであって、前記面光源の発光面上、若しくはその近傍に設けられ、外部入力を検出する外部入力検出センサと、前記外部入力検出センサによって前記外部入力が検出されたときアドレス要求コマンドを前記マスタ装置に送信する送信手段と、前記アドレス要求コマンドに対して前記マスタ装置から送信されるアドレス付与コマンドを受信して前記アドレス付与コマンドに含まれるアドレスを取得する取得手段と、前記取得手段によって取得されたアドレスに対応して前記発光制御コマンド内から前記自身用の制御データを取り出す手段と、を備えることを特徴としている。【００１５】
請求項７に係る発明の照明システムは、発光制御コマンドを送信するマスタ装置と、  各々が面光源を有し、前記発光制御コマンドを受信し、受信した前記発光制御コマンドに含まれる自身用の制御データに応じて前記面光源を各々が駆動制御する複数の照明モジュールと、を備える照明システムであって、前記複数の照明モジュール各々の前記面光源の発光面上、若しくはその近傍に設けられ、外部入力を検出する外部入力検出センサと、前記外部入力検出センサによって前記外部入力が検出されたときアドレス要求コマンドを前記マスタ装置に送信する送信手段と、前記マスタ装置に設けられ、前記アドレス要求コマンドに応答してアドレスを設定するアドレス設定手段と、前記アドレス設定手段で設定されたアドレスを含むアドレス付与コマンドを前記アドレス要求コマンドを送信した照明モジュールに対して返信する返信手段と、を含み、前記複数の照明モジュールの各々は、前記アドレス付与コマンドを受信して前記アドレス付与コマンドに含まれるアドレスを取得する取得手段と、前記取得手段によって取得されたアドレスに対応して前記発光制御コマンド内から前記自身用の制御データを取り出す手段と、を有することを特徴としている。
【図面の簡単な説明】
【００１６】
【図１】本発明の実施例の照明システムを示すブロック図である。
【図２】図１の照明モジュール内の面光源の断面図である。
【図３】図１の照明システムで用いられる非同期シリアル通信のコマンドフォーマットを示す図である。
【図４】図１の照明システムで用いられるＤＭＸ５１２−Ａ規格の独自コマンドのコマンドフォーマットを示す図である。
【図５】図１の照明システムのアドレス割り当て動作のシーケンス図である。
【図６】アドレスモードで使用されるコマンドのコマンドフォーマットを示す図である。
【図７】図６のコマンドの種類と種類毎の各パラメータの内容とを示す図である。
【図８】ＤＭＸコマンドのコマンドフォーマットを示す図である。
【実施例】
【００１７】
以下、本発明の実施例を、図面を参照しつつ詳細に説明する。【００１８】
図１に示された実施例の照明システムにおいては、照明制御マスタ１１（マスタ装置）と複数の照明モジュール（スレーブ装置）１２０〜１２ｎ（なお、ｎは正の整数である）とが設けられ、照明制御マスタ１１と複数の照明モジュール１２０〜１２ｎとの間には通信線１３によって接続されている。【００１９】
照明制御マスタ１１は複数の照明モジュール１２０〜１２ｎ各々の動作を制御するコントローラである。照明制御マスタ１１は通信Ｉ/Ｆ（インターフェース）部２１、及びマスタ通信制御部２２を有している。通信ＩＦ部２１は通信線１３に接続され、複数の照明モジュール１２０〜１２ｎ各々について後述のコマンドを送受信する。マスタ通信制御部２２は通信ＩＦ部２１に接続され、例えば、マイクロコンピュータからなり、複数の照明モジュール１２０〜１２ｎ各々の動作を制御するコマンドを作成してそれを送信させるべく通信Ｉ/Ｆ部２１に供給する。また、マスタ通信制御部２２は通信Ｉ/Ｆ部２１が受信したコマンドの内容を解釈してそれに応答するためのコマンドを作成する。【００２０】
操作部２３はマスタ通信制御部２２に接続され、ユーザの入力操作を受け入れ、マスタ通信制御部２２に対して入力操作に対応した指令を発する。操作部２３は実施例では照明制御マスタ１１の外部に設けられているが、照明制御マスタ１１の一部としても良い。【００２１】
複数の照明モジュール１２０〜１２ｎ各々は後述の有機ＥＬ素子からなる面光源３４を有する有機ＥＬパネルとして天井や壁などにタイリングされる。複数の照明モジュール１２０〜１２ｎ各々は同一の構成を有しており、通信Ｉ/Ｆ（インターフェース）部３１、スレーブ通信制御部３２、発光制御部３３、及び面光源３４を有している。通信Ｉ/Ｆ部３１は通信線１３に接続され、照明制御マスタ１１に対してコマンドを送受信する。スレーブ通信制御部３２は、通信Ｉ/Ｆ部３１及び発光制御部３３に別々に接続され、通信Ｉ/Ｆ部３１が受信したコマンド中の自身宛の制御データを抽出してそれを発光制御部３３に供給する。また、スレーブ通信制御部３２は、通信Ｉ/Ｆ部３１が受信したコマンドの内容を解釈してそれに応答するためのコマンドを作成する。発光制御部３３は面光源３４に接続され、スレーブ通信制御部３２から供給される制御データに応じて面光源３４を駆動制御する。スレーブ通信制御部３２及び発光制御部３３については例えば、１つのマイクロコンピュータから構成しても良い。【００２２】
面光源３４は図２に示すように、ガラス基板４０上に透明電極４１が陽極として形成されている。透明電極４１は例えば、スパッタ法により形成され、ＩＴＯ膜からなる。透明電極４１上には長手形状の複数のバンク４２が等間隔で並置されている。バンク４２は有機絶縁材料からなる。スピンコート法又は印刷法で透明電極４１上に有機絶縁材料を塗布し、乾燥後、フォトリソグラフィ技術によりパターニングを行うことによりバンク４２が形成される。バンク４２は、その長手方向に垂直な方向の断面が台形状であり透明電極４１上において順テーパの側面を有している。なお、バンク４２の形成位置の透明電極４１上には図示しない給電用のバスラインが形成され、バンク４２によってそのバスラインは覆われている。【００２３】
隣接するバンク４２間に上記した発光領域が位置している。各発光領域には有機発光構造層として、ホール注入層４３、発光層４４、及び電子注入層４５がその順に形成されている。ホール注入層４３、発光層４４、及び電子注入層４５各々は、その材料を含むインクをインクジェット法等の塗布法を用いて塗布し、塗布後に乾燥処理することにより形成されている。発光層４４については隣接する発光領域で異なる色の発光層が配置されており、赤発光層４４（Ｒ）、緑発光層４４（Ｇ）及び青発光層４４（Ｂ）の順にバンク４２の並置方向に向けて繰り返されている。なお、有機発光構造層は上記した構成に限定されず、ホール注入層４３と発光層４４との間にホール輸送層が形成され、発光層４４と電子注入層４５との間に電子輸送層が形成された構成でも良い。【００２４】
電子注入層４５上には例えば、真空蒸着法にてＡｌ膜が例えば、真空蒸着形成され、更に、フォトリソグラフィ技術によりパターニングを行うことによりＲＧＢ毎に金属電極４６（Ｒ）、４６（Ｇ）及び４６（Ｂ）が陰極として形成されている。【００２５】
発光制御部３３は透明電極４１と金属電極４６（Ｒ）、４６（Ｇ）及び４６（Ｂ）各々との間に駆動電流を個別に供給する。各駆動電流のレベルは上記の制御データに応じて定まり、駆動電流のレベルに応じた輝度で発光領域では発光する。【００２６】
面光源３４の発光層４４（４４（Ｒ），４４（Ｇ），４４（Ｂ））が発光すると、その光はホール注入層４３、透明電極２１、そしてガラス基板４０を介して外部に出射される。また、発光層２４で生成した光は電子注入層４５を介して金属電極４６（４６（Ｒ），４６（Ｇ），４６（Ｂ））で反射し、その反射光が電子注入層４５、発光層４４、ホール注入層４３、透明電極４１、そしてガラス基板４０を介して外部に出射される。出射される光は赤色光、緑色光及び青色光が各々の輝度に応じて混色される。赤色光、緑色光及び青色光各々の輝度が同一ならば白色光として出射される。【００２７】
複数の照明モジュール１２０〜１２ｎ各々は更にタッチセンサ３５（外部入力検出センサ）を有している。タッチセンサ３５は発光制御部３３に接続されている。タッチセンサ３５は図２に示したように、面光源３４の発光面であるガラス基板４０の光出射面上に貼り付けられたＩＴＯ等のフィルム状の透明タッチパネル３６を有し、静電容量方式又は抵抗膜方式でユーザの発光面へのタッチを検出する。【００２８】
かかる構成の照明システムにおいて、照明制御マスタ１１による複数の照明モジュール１２０〜１２ｎの制御には上記したように、ＤＭＸ５１２−Ａという通信プロトコルの規格が用いられている。【００２９】
ＤＭＸ５１２−Ａでは、通信線の電気仕様としてＥＩＡ−４８５規格(＝ＲＳ−４８５規格)が採用されており、非同期シリアル通信が行われる。非同期シリアル通信のコマンドフォーマットは、図３に示すように、ブレーク信号と呼ばれるスタート信号の後、１バイトのスタートコード（スロット０）と、それに続く５１２バイトのデータ部分（スロット１〜５１２）とからなるシンプルなパケット構成を持っている。一般に、使用されるのはスタートコード＝０ｘ００、ヌルコマンドと呼ばれるもので、これで照明制御や各種機器制御が行われる。【００３０】
また独自コマンドを送信する機能もあり、図４に示すように、スタートコードは０ｘ９１、次に２バイトのManufacturer IDと呼ばれる会社・組織を識別するＭＩＤ、その後のスロットでデータ（＝独自コマンド）が送信される。なお、ＭＩＤ−ＨはＭＩＤの上位バイトであり、ＭＩＤ−ＬはＭＩＤの下位バイトである。【００３１】
ＤＭＸ５１２−Ａの規格を用いて複数の機器を制御する場合には、各機器にＤＭＸアドレスと呼ばれる値を設定することが行われる。このＤＭＸアドレスに相当するスロット位置のデータが、その機器への指示となる。つまり各機器への指示が１バイトの場合、最大５１２台の機器を制御できることになる。【００３２】
よって、実施例の照明システムでは、照明制御マスタ１１が制御対象の照明モジュール１２０〜１２ｎの各々を制御するためには事前にＤＭＸアドレスを照明モジュール１２０〜１２ｎに付与する（割り当てる）ことが必要となる。【００３３】
次に、ＤＭＸアドレス付与動作について図５のシーケンス図を参照しつつ説明する。【００３４】
ＤＭＸアドレスを付与する動作を開始するに当たっては、先ず、照明システム全体がアドレスモードに設定される。これは、ユーザによる操作部２３への入力操作によってアドレス付与指令が操作部２３から生成され（ステップＳ１）、そのアドレス付与指令に応じてマスタ通信制御部２２が複数の照明モジュール１２０〜１２ｎ各々に対してアドレスモード開始のためのコマンドを作成する。作成されたアドレスモード開始コマンドは通信ＩＦ部２１に渡され、通信ＩＦ部２１によって通信線１３を経て各照明モジュール１２０〜１２ｎに送信される（ステップＳ２）。【００３５】
ここで、使用されるコマンドでは上記したＤＭＸ５１２−Ａ規格の独自コマンドのフォーマットが利用される。図６に示すように、スロット０〜スロット２は図４に示した通りである。スロット３がコマンド長（バイト数）、スロット４がコマンド内容を示すコマンド番号である。図７に示すように、アドレスモード開始についてはスロット３のコマンド長は０ｘ０１、スロット４のコマンド番号は０ｘ００である。【００３６】
また、この独自コマンドのフォーマットは図７から分かるように、アドレスモード開始コマンドに限らず、アドレスモード終了、アドレス要求、アドレス要求＆終了、及びアドレス付与の各コマンドでも使用される。アドレス付与コマンドでは、コマンド長が０ｘ０３であり、スロット５及び６が使用される。スロット５はＤＭＸアドレスの上位８ビット（ＡＤ−Ｈ）、スロット６はＤＭＸアドレスの下位８ビット（ＡＤ−Ｌ）である。ここに示したコマンドはアドレスモードにおいて使用されるコマンドであり、照明制御マスタ１１からのコマンド送信だけでなく照明モジュール１２０〜１２ｎからのコマンド送信が実行される。【００３７】
照明モジュール１２０〜１２ｎ各々においては、通信Ｉ/Ｆ部３１が照明制御マスタ１１から送信されたアドレスモード開始コマンドを受信する。受信されたコマンドはスレーブ通信制御部３２に供給され、スレーブ通信制御部３２はコマンドのスロット０が独自コマンドを示す０ｘ９１を検出すると、その後のスロット４のコマンド番号０ｘ００に応じて照明モジュールの動作モードをアドレスモードに設定する（ステップＳ３）。【００３８】
アドレスモードでは、複数の照明モジュール１２０〜１２ｎのうちからユーザが望む順番に照明モジュールの発光面へのタッチが行われる。すなわち、発光面に設けられたタッチパネル３６へのタッチが行われる（ステップＳ４）。タッチされた照明モジュールを１２ｋ（１２０〜１２ｎのうちのいずれか１）とする。【００３９】
タッチされた照明モジュール１２ｋにおいては、タッチセンサ３５によるタッチ検出出力が発光制御部３３に供給される。更に、発光制御部３３はタッチ検出をスレーブ通信制御部３２に通知する。スレーブ通信制御部３２はタッチ検出に応じてアドレス要求コマンドを作成する。アドレス要求コマンドでは、図７に示すように、コマンド長が０ｘ０１、コマンド番号が０ｘ１０である。作成されたアドレス要求コマンドは通信ＩＦ部３１に渡され、通信ＩＦ部３１によって通信線１３を経て照明制御マスタ１１に送信される（ステップＳ５）。照明モジュール１２ｋはアドレス要求コマンドを送信したので、返答コマンド待機状態となる。ステップＳ５のアドレス要求コマンドの送信が送信手段に相当する。【００４０】
照明制御マスタ１１においては、通信Ｉ/Ｆ部２１がコマンドを受信すると、その受信されたコマンドはマスタ通信制御部２２に供給される。マスタ通信制御部２２はアドレスモードにおいてコマンドのスロット０が独自コマンドを示す０ｘ９１を検出すると、その後のスロット４のコマンド番号０ｘ１０に応じてＤＭＸアドレスを順番に決定する（ステップＳ６）。ＤＭＸアドレスの値はアドレスモードの開始後、アドレス要求コマンドを受信した順番に昇順するように決定される。そして、その決定したＤＭＸアドレスを含むアドレス付与コマンドを作成する。アドレス付与コマンドは上記したようにスロット５にＤＭＸアドレスの上位８ビット（ＡＤ−Ｈ）を含み、スロット６にＤＭＸアドレスの下位８ビット（ＡＤ−Ｌ）を含む。ステップＳ６のＤＭＸアドレスの決定がアドレス設定手段に相当する。【００４１】
作成されたアドレス付与コマンドは通信ＩＦ部２１に渡され、通信ＩＦ部２１によって通信線１３を経て照明モジュール１２ｋに返信される（ステップＳ７）。アドレス付与コマンドは実際には照明モジュール１２ｋを含む全ての照明モジュール１２０〜１２ｎに送信される。ステップＳ７のアドレス付与コマンドの返信が返信手段に相当する。【００４２】
照明モジュール１２ｋにおいては、通信Ｉ/Ｆ部３１が照明制御マスタ１１から送信されたアドレス付与コマンドを受信する。受信されたコマンドはスレーブ通信制御部３２に供給され、スレーブ通信制御部３２はアドレス要求コマンドを送信した直後で上記したように返答コマンド待機状態にあるので、そのコマンドを受け入れる。【００４３】
照明モジュール１２ｋを除く照明モジュール１２０〜１２ｎでは返答コマンド待機状態ではないので、それらの照明モジュール内のスレーブ通信制御部３２はそのアドレス付与コマンドを無視する。【００４４】
照明モジュール１２ｋのスレーブ通信制御部３２は、受け入れたコマンドのスロット０〜スロット４に応じてアドレス付与コマンドであることを確認すると、スロット５及びスロット６からＤＭＸアドレスを取り出してそれを自身のアドレスとして設定し、また、返答コマンド待機状態を解除して照明モジュール１２ｋについてのアドレスモードを終了する（ステップＳ８）。自身のアドレスの設定ではそのＤＭＸアドレスが例えば、メモリに記憶される。ステップＳ８のＤＭＸアドレスを取り出しが取り出し手段に相当する。【００４５】
このように、アドレスモードではユーザが１つの照明モジュールの発光面をタッチする毎に上記のアドレス付与動作が行われる。そして、ユーザは照明モジュール１２０〜１２ｎのうちの未アドレス付与の照明モジュールの発光面へのタッチを行う。タッチ毎に上記したアドレス付与動作がタッチした照明モジュールと照明制御マスタ１１との間で行われる。【００４６】
最後のアドレス付与対象の照明モジュールに対してはアドレス付与と同時にアドレスモードの終了を指令するためにユーザはその発光面に連続的に２回のタッチを行う（ステップＳ１１）。２回タッチされた照明モジュールを１２ｅｎｄ（１２０〜１２ｎのうちのいずれか１）とする。【００４７】
照明モジュール１２ｅｎｄにおいては、タッチセンサ３５による２回の連続的なタッチ検出出力が発光制御部３３に供給される。更に、発光制御部３３はその２回のタッチ検出をスレーブ通信制御部３２に通知する。スレーブ通信制御部３２は２回のタッチ検出に応じてアドレス要求＆終了コマンドを作成する。アドレス要求＆終了コマンドでは、図７に示すように、コマンド長が０ｘ０１、コマンド番号が０ｘ１１である。作成されたアドレス要求＆終了コマンドは通信ＩＦ部３１に渡され、通信ＩＦ部３１によって通信線１３を経て照明制御マスタ１１に送信される（ステップＳ１２）。照明モジュール１２ｋはアドレス要求＆終了コマンドを送信したので、返答コマンド待機状態となる。【００４８】
照明制御マスタ１１においては、通信Ｉ/Ｆ部２１がコマンドを受信すると、その受信されたコマンドはマスタ通信制御部２２に供給される。マスタ通信制御部２２はアドレスモードにおいてコマンドのスロット０が独自コマンドを示す０ｘ９１を検出すると、その後のスロット４のコマンド番号０ｘ１１に応じてそれが最終のアドレス要求であることを認識し、ＤＭＸアドレスを順番に決定する（ステップＳ１３）。そして、その決定したＤＭＸアドレスを含むアドレス付与コマンドを作成する。アドレス付与コマンドは上記したようにスロット５にＤＭＸアドレスの上位８ビット（ＡＤ−Ｈ）を含み、スロット６にＤＭＸアドレスの下位８ビット（ＡＤ−Ｌ）を含む。作成されたアドレス付与コマンドは通信ＩＦ部２１に渡され、通信ＩＦ部２１によって通信線１３を経て照明モジュール１２ｅｎｄに返信される（ステップＳ１４）。【００４９】
アドレス付与コマンドを受信した照明モジュール１２ｅｎｄの動作は照明モジュール１２ｋがアドレス付与コマンドを受信した場合と同様であるので、ここでの更なる説明は省略されるが、照明モジュール１２ｅｎｄのスレーブ通信制御部３２は自身のＤＭＸアドレスを設定し、また、返答コマンド待機状態を解除して照明モジュール１２ｅｎｄについてのアドレスモードを終了する（ステップＳ１５）。【００５０】
照明制御マスタ１１において、照明モジュール１２ｅｎｄへのアドレス付与コマンドの送信から所定の時間（例えば、１秒）の経過後、マスタ通信制御部２２はアドレスモード終了のためのコマンドを作成する。作成されたアドレスモード終了コマンドは通信ＩＦ部２１に渡され、通信ＩＦ部２１によって通信線１３を経て各照明モジュール１２０〜１２ｎに送信される（ステップＳ１６）。【００５１】
照明モジュール１２０〜１２ｎのうちのユーザにタッチされず、ＤＭＸアドレスが設定されていない照明モジュールにおいては、動作モードはアドレスモードのままである。そのような照明モジュールでは、通信Ｉ/Ｆ部３１が照明制御マスタ１１から送信されたアドレスモード終了コマンドを受信すると、スレーブ通信制御部３２はコマンドのスロット０が独自コマンドを示す０ｘ９１を検出すると、その後のスロット４のコマンド番号０ｘ０１に応じてアドレスモードを終了させる（ステップＳ１７）。【００５２】
アドレスモードの終了によりＤＭＸアドレスが設定された照明モジュールについては、動作モードは照明制御モードとなる。照明制御モードでは通常、コマンドは照明制御マスタ１１から照明モジュール１２０〜１２ｎへ送信されるだけである。【００５３】
実施例の照明システムにおいては、ＲＧＢの輝度を各１バイト、計３バイトで指示することが行われる。よって、発光制御コマンドであるＤＭＸコマンドの３スロットが１つの照明モジュールの制御データの収納のために使用される。この場合には、図８に示すように、スロットｍ（なお、ｍは正の整数である）が赤の輝度データ、スロットｍ＋１が緑の輝度データ、スロットｍ＋２が青の輝度データとなり、ＤＭＸアドレスは３スロットの先頭位置であるスロットｍを指示する。最大接続機器数は５１２/３＝１７０.６．．．、つまり照明モジュール１２０〜１２ｎをｎ＝１７０台まで使用することができる。【００５４】
照明制御マスタ１１においては、照明制御モードでユーザによる操作部２３への入力操作によって調色指令が操作部２３から生成されると、マスタ通信制御部２２がその調色指令に応じて複数の照明モジュール１２０〜１２ｎ各々、すなわち、ＤＭＸアドレス各々に対するＲＧＢの調色のデータを含むＤＭＸコマンドを作成する。このＤＭＸコマンドは図８に示したデータフォーマットを有している。そして、ＤＭＸコマンドは通信ＩＦ部２１によって通信線１３を経て各照明モジュール１２０〜１２ｎに送信される。【００５５】
照明モジュール１２０〜１２ｎ各々においては、通信Ｉ/Ｆ部３１が照明制御マスタ１１から送信されたＤＭＸコマンドを受信する。受信されたＤＭＸコマンドはスレーブ通信制御部３２に供給され、スレーブ通信制御部３２はＤＭＸコマンドのスロット０がヌルコマンドを示すことを検出すると、上記したステップＳ８又はＳ１５で設定された自身のＤＭＸアドレスに対応したＤＭＸコマンドのスロットから連続した３スロットのデータを赤の輝度データ、緑の輝度データ、及び青の輝度データとして取り出す（制御データを取り出す手段に相当する）。それらのＲＧＢ（赤緑青）の輝度データは発光制御部３３に供給される。発光制御部３３は面光源３４の透明電極４１と金属電極４６（Ｒ）との間に赤の輝度データに対応した値の駆動電流を供給し、透明電極４１と金属電極４６（Ｇ）との間に緑の輝度データに対応した値の駆動電流を供給し、透明電極４１と金属電極４６（Ｂ）との間に青の輝度データに対応した値の駆動電流を供給する。これらの面光源３４への駆動電流の供給により面光源３４の発光色が調色される。【００５６】
このように、実施例の照明システムにおいては、照明モジュール１２０〜１２ｎ各々の発光面にタッチセンサ３５を設けたので、照明モジュール１２０〜１２ｎ各々を天井や壁などに取り付けた後に、ユーザが順番に発光面にタッチするだけで照明モジュール１２０〜１２ｎ各々にＤＭＸアドレスを簡単に付与することができる。また、ユーザがタッチした照明モジュールの順番にＤＭＸアドレスが設定されるので、ＤＭＸアドレスと照明モジュール１２０〜１２ｎ各々との関係を明確にすることが可能となる。【００５７】
更に、ＤＭＸアドレスが付与された照明モジュール１２０〜１２ｎに例えば、異なる順番でＤＭＸアドレスを再付与することが容易に可能である。【００５８】
また、コマンドを送信することは照明制御マスタ１１のみが行い、照明モジュール１２０〜１２ｎはコマンドを受信するだけであるので、コマンドの衝突が生じ得ない。【００５９】
なお、上記した実施例においては、最後のアドレス付与対象の照明モジュール１２ｅｎｄをユーザが連続した２回タッチにより指示することにより、照明制御マスタ１１では照明モジュール１２ｅｎｄへのアドレス付与が実行されるとアドレスモード終了コマンドが送信されるが、本発明はこれに限定されない。例えば、いずれかの照明モジュールからのアドレス要求コマンドを受信してから所定の時間に亘って次のアドレス要求コマンドの受信がないときには照明制御マスタ１１ではアドレスモード終了コマンドが送信されるようにしても良い。【００６０】
また、上記した実施例においては、ユーザによる照明モジュールの指定を検出するセンサとしてタッチセンサを用いているが、本発明はタッチセンサに限定されず、例えば、レーザポインタの光を検知する光センサ等の他のセンサを照明モジュールの発光面又はその近傍に設けても良い。【００６１】
更に、上記した実施例では、ＤＭＸ５１２−Ａ規格を用いて照明制御マスタ１１が複数の照明モジュール１２０〜１２ｎを制御する照明システムにおいて照明モジュールにアドレスを設定することが示されているが、ＤＭＸ５１２−Ａの規格以外の規格を用いた照明システムに、照明モジュールにアドレスを設定するために本発明を適用することができることは勿論である。また、照明制御マスタ１１と複数の照明モジュール１２０〜１２ｎとの間では通信線１３を介して有線通信が行われるが、照明制御マスタ１１と複数の照明モジュール１２０〜１２ｎとの間で無線通信が行われても良い。【００６２】
また、上記した実施例では、アドレス（ＤＭＸアドレス）はＤＭＸコマンドのスロット番号を表しているが、本発明はこれに限定されない。【００６３】
上記した実施例においては、照明モジュールには面光源として有機ＥＬ素子が用いられているが、有機ＥＬ素子以外のＬＥＤ（発光ダイオード）等の発光素子を用いても良い。
【符号の説明】
【００６４】
１１  照明制御マスタ
１２０〜１２ｎ，１２ｋ，１２ｅｎｄ  照明モジュール
１３  通信線
２１，３１  通信Ｉ/Ｆ部
２２  マスタ通信制御部
２３  操作部
３２  スレーブ通信制御部
３３  発光制御部
３４  面光源
３５  タッチセンサ
３６  タッチパネル
４１  透明電極
４２  バンク
４３  ホール注入層
４４（Ｒ），４４（Ｇ），４４（Ｂ）  発光層
４５  電子注入層
４６（Ｒ），４６（Ｇ），４６（Ｂ）  金属電極
【図１】
2014016904.tif 000003
【図２】
2014016904.tif 000004
【図３】
2014016904.tif 000005
【図４】
2014016904.tif 000006
【図５】
2014016904.tif 000007
【図６】
2014016904.tif 000008
【図７】
2014016904.tif 000009
【図８】
2014016904.tif 000010
【国際調査報告】
2014016904.tif 000011
2014016904.tif 000012
2014016904.tif 000013
2014016904.tif 000014